Podtech/llm-jp-corpus-v4-ja_patent huggingface dataset:
(57)【要約】【課題】  掛け布団の一部が就寝者の足により持ち上がることで発生する隙間を防ぐ。【解決手段】  掛け布団の足元側に柔軟性のない棒を取り付けることで、掛け布団の一部が持ち上がることを防ぐ。【選択図】図１
2016123829.tif 000002
【特許請求の範囲】
【請求項１】
掛け布団の隙間防止器具。
【発明の詳細な説明】
【技術分野】
【０００１】  本発明は、寝具の保温性を高める器具に関するものである。
【背景技術】
【０００２】  寝具の保温性を高めるには、掛け布団と敷き布団の隙間を減らすことが対策の一つである。【０００３】  しかし、利用中の掛け布団には、足元に隙間ができてしまうことがある。【０００４】  これは、掛け布団の一部が就寝者の足により持ち上がるために発生する。
【発明の概要】
【発明が解決しようとする課題】
【０００６】  解決しようとする課題は、掛け布団の柔軟性を、隙間のできる足元側のみ、制限することである。
【課題を解決するための手段】
【０００７】  本発明は、掛け布団の足元側に、柔軟性のない棒を取り付けることで、この課題を解決するものである。
【発明の効果】
【０００８】  本発明の隙間防止器具を掛け布団の足元側に取り付けることで、掛け布団と敷き布団の隙間を減らし、保温性を高めることが可能になる。【０００９】  また、本発明の隙間防止器具は簡単に取り外すことができるため、掛け布団を収納する際、邪魔にならない。
【図面の簡単な説明】
【００１０】
【図１】  本発明の正面図
【図２】  本発明の側面図
【図３】  本発明を利用している状態の正面図
【図４】  図３のＡ−Ａ断面図
【発明を実施するための形態】
【００１１】  本発明の実施例の形態を、図１〜図４に基づいて説明する。
【００１２】  図１〜図２において、１は棒、２は大型クリップであり、複数の大型クリップは棒に固定されている。
【００１３】  図３は、本発明を利用している状態の図である。
【００１４】  図４は、図３のＡ−Ａ断面であり、掛け布団の一部が就寝者の足で持ち上がらない様、本発明が抑えている。
【符号の説明】
【００１５】  １  棒
２  大型クリップ
３  掛け布団
４  敷き布団
５  就寝者の足
【図１】
2016123829.tif 000003
【図２】
2016123829.tif 000004
【図３】
2016123829.tif 000005
【図４】
2016123829.tif 000006
(57)【要約】      （修正有）【課題】太陽光発電の欠点である天候に大きく影響されるデメリットと、風さえあれば夜間でも発電できる風力発電のメリットを一つの風力太陽光両用発電の構造にして、回転速度を上げ、効率良く風力パワーを捉える。【解決手段】受風翼２の表面に太陽光発電パネルを貼り付け、太陽光発電パネルに起動トルクを上げるための垂直板３を取り付ける。風力発電と太陽光発電の二つの機能を一つで機能する構造であり、日中は太陽光発電、風さえあれば昼夜兼行で効率良く安定供給発電することができる。【選択図】図４
2016130492.tif 000002
【特許請求の範囲】
【請求項１】
受風翼の表面に太陽電池を貼り付け太陽光発電パネルを構成するとともに受風翼には垂直板を取り付け回転軸にて回動可能となし、風力と太陽光で発電を可能としたことを特徴とする風力および太陽光両用発電機の風車
【発明の詳細な説明】
【技術分野】
【０００１】
本発明は風力発電と太陽光発電の再生可能エネルギーに関するものである。
【背景技術】
【０００２】
風力発電と太陽光発電の異なる二つの機能を組み合わせて、一つで機能(ハイブリッド)する形状にした風力太陽光両用発電・風車である。（ウインド・ソーラー・風車）
ウインド・ソーラー・パネルの表面には薄膜型や結晶型などの太陽電池を貼り付け太陽光発電をする風車である。
【０００３】
従来の風力発電は風力でのみ、太陽光発電は太陽光でのみ、それぞれ単独で作用するものが主流であったがアイディアとして先行技術文献の様な風力と太陽光の複合発電機が見受けられるけれど、この構造においては現在の風車に太陽光パネルを取り付けただけのものであり充分太陽光を取り込むことができないものである。
風車の形式には、水平軸（揚力形）と垂直軸（効力形）の２種類に大別され、それぞれ長所と短所があり水平軸と垂直軸の長所を組み合わせた形式の風車は無かった。
【先行技術文献】
【特許文献】
【０００４】
【特許文献１】特開２０１０−９０８８６号公報
【発明の概要】
【発明が解決しようとする課題】
【０００５】
太陽光発電は天候の影響に大きく左右され、悪天候のときはほとんど発電しないし、夜間は全く発電出来ない。
また風力発電は好天のときには無風状態のことが多く発電しない、しかし夜半は風が吹く事が多く、太陽に関係なく夜間でも発電でき、風力と太陽光の組み合わせで比較的安定した発電効果が期待できる。
そこで風力発電と太陽光発電の二つの機能を一つの設備で両用に機能させることが出来たら天候に関係なく、昼夜兼行で一石二鳥、設備費用の軽減にコスト削減につながり発電効率を増大する事が出来る。
【課題を解決するための手段】
【０００６】
従来の風力発電あるいは太陽光追尾型発電の支柱、又は架台の上部の発電装置の部分に本発明の風力および太陽光両用発電機の風車を設置する。
風力太陽光両用発電風車の構成は、円形ループ状のパネル上部に太陽電池を貼り付け太陽光発電する。
風力および太陽光両用発電機の風車は、風を受け止める大きな翼面積パネルで揚力を高め、垂直板で風車軸に与える起動トルクを大きくし回転速度を上げて、より効率良く風力パワーを捉えて発電出力を大きくする構成である。
【発明の効果】
【０００７】
太陽光追尾型のシステムにおいては多額の設備費用を要するわりにさほどの発電効率が期待できない、太陽追尾型では固定型に比べて当然より多くの太陽光を取り込めます、しかし陽射しを強く受ければパネルの表面温度が上がります、ところが太陽電池は表面温度が上がる発電効率が下がる性質があります。
本発明の風力太陽光両用発電のソーラーパネル部分は受風効果を大きくするよう扇風機の羽根状にカーブを付けコアンダ効果（流体が物体の表面を流れるとき、物体の表面形状へ貼りつくように沿って流れる現象のこと）によって僅かな風でパネルが回転します。
回転すると太陽電池の表面温度が下がり発電効率が上がる効果があります。
冬季には太陽光は弱く太陽光発電能力も下がりますが、冬場は季節風が強い日が多く風力発電が効率良く機能する効果があります。
夏と冬とで日照条件と風況条件の有利・不利が入れ替わりますので、一基で風力発電と太陽光発電が機能し一挙両得で比較的安定した電力供給効果があります。
【図面の簡単な説明】
【０００８】
【図１】第１図は風車の分解斜視図である。
【図２】第２図はソーラーパネルを取り付けた上面図である。
【図３】第３図は本発明の風車の側面図である。
【図４】第４図は本発明を表した全体斜視図である。
【発明を実施するための形態】
【０００９】
以下、発明を実施するための形態について説明する。
既存の風力発電と太陽光発電の異なる二つの機能を一つの設備に組み合わせて、風力発電と太陽光発電で昼夜兼行、好天と悪天候に関係なく、一基で両用に機能する形態にして効率よくエネルギーの安定供給を確保しようとする形状の風車である。
風力太陽光両用発電の風車は、ループ状の大きな翼面積のパネルに太陽電池を貼り付け太陽光で発電する。
太陽電池を貼り付けたパネルに、３６０°どの方向からの風も受ける垂直板を取り付け、起動トルクを大きくし、ループ状の大きな翼面積のパネルはコアンダ効果で回転数を上げより効率良く風力パワーを捉えることが出来る構造で今までに無かった形態の風車である。
本発明の風力および太陽光両用発電機の風車は揚力を引き出す受風面積が広くて、起動トルクの大きい垂直板を組み合わせで最適な回転速度を上げて発電効率を高める工夫をした構造である。
【実施例】
【００１０】
第１図に示す様にループ状の大きな翼面積のパネル１に太陽電池を貼り付け、太陽光で発電するパネルに３６０°どの方向からの風も受ける垂直板３を取り付け、垂直板３は風車が回転するための起動トルク大きくする役割をするものである。
第２図はループ形状のパネルを上から見た平面図で従来のプロペラにあたる部分であるがより多くの太陽光を受け取るために円形状の平面にした。
垂直板３は回転を得るための板であり、ループ状の形態にするための役割とするものである。
第３図は垂直軸４に回転与えるための垂直板３と揚力を得るためのパネル１を側面から見た図である。
第４図に示す様にループ形状のパネルに垂直板３を組み合わせて回転すると、傾斜軸のときに回転速度が速くなり、傾斜がつくことによって太陽光をより直角に取り込むことが出来る効果も生まれます。
風力および太陽光両用発電機の風車は発電装置５に連結されており、軸受６によって上下に首ふり状態に固定できるようになっている。また発電装置５は支柱８の上端部の回転台座７にて左右に回転可能となっている。
尚、受風翼２は円形に構成するとともに垂直板３は一枚板で構成したが、この構成に限定されるものではなく受風翼２を多角形あるいは垂直板３を複数枚に構成しても良いものである。
【産業上の利用可能性】
【００１１】
現在の風力発電、太陽光追尾型の支柱を利用して適用できる。
【符号の説明】
【００１２】
１  太陽光発電パネル
２  受風翼
３  垂直板
４  垂直軸
５  発電装置
６  軸受
７  回転台座
８  支柱
【図１】
2016130492.tif 000003
【図２】
2016130492.tif 000004
【図３】
2016130492.tif 000005
【図４】
2016130492.tif 000006
(57)【要約】【課題】  段ボール箱は、クリーンルーム用では使用できない。なぜならば、紙製であり紙粉が発生するためである。段ボールの表面は選択する紙によっては、紙粉は軽減できるが、端面は裁断したままの状態であり、非常に紙粉が発生しやすい。段ボールで、この端面をカバーしたものはない。よって、紙粉を防止するため、紙製の段ボールではなく、プラスチック段ボールが用いられている。プラスチック製であるため、紙粉は発生しない。しかしながら、プラスチック製であるため、どうしても静電気が発生する。この静電気が発生すると、空気中の浮遊ゴミを吸着することになる。そこで、静電気ほとんどなく、紙粉が防止できる段ボール箱を提供する。【解決手段】  表面がパーチメント紙である段ボール箱。【選択図】  図１
2016130132.tif 000002
【特許請求の範囲】
【請求項１】
表面がパーチメント紙であることを特徴とする紙粉軽減段ボール箱。
【請求項２】
段ボールの端面は、折り返したパーチメント紙によってカバーされているものである請求項１記載の紙粉軽減段ボール箱
【請求項３】
段ボールの端面は、別体であるプラスチックテープよってカバーされているものである請求項１記載の紙粉軽減段ボール箱
【請求項４】
コルゲートマシンへ供給するライナーがパーチメント紙であり、それを用いて組み立てることを特徴とする紙粉軽減段ボール箱の製造方法。
【請求項５】
コルゲートマシンへ供給するライナーが通常の紙とパーチメント紙のラミネート紙である請求項４記載の紙粉軽減段ボール箱の製造方法。
【発明の詳細な説明】
【技術分野】
【０００１】
本発明は、紙粉軽減段ボール箱及びその製造方法に関するものである。
【背景技術】
【０００２】
段ボール箱は、現在種々の物品の収納容器として用いられている。
また、紙管は糸、フィルムその他を巻回して保管する芯材として広く用いられている。
【０００３】
最近では、医療関係、食品関係においては、クリーンルーム内で使用されるものも多い。クリーンルームでは、塵、ゴミ等は当然発生してはならない。しかしながら、紙管は、紙製であるため、どうしても紙粉が発生する。よって、基本的にはクリーンルームでは使用できない。これを防止するため、紙管表面にフィルムを貼る、樹脂を塗布又は含浸する等の紙粉防止処理が行われている。特許文献１参照。
【０００４】
この紙管を搬送する場合、箱に収納して行うのが普通である。一般的な収納箱は段ボール箱であるが、上記したクリーンルーム用では使用できない。なぜならば、この段ボールも紙製であり紙粉が発生するためである。
段ボールの表面は選択する紙によっては、紙粉は軽減できるが、端面は裁断したままの状態であり、非常に紙粉が発生しやすい。段ボールで、この端面をカバーしたものはない。図２は、この従来の段ボールを示す。裁断面（拡大している）は裁断したままであることがわかる。
【０００５】
よって、紙粉を防止するため、紙製の段ボールではなく、プラスチック段ボールが用いられている。プラスチック製であるため、紙粉は発生しない。
【０００６】
しかしながら、プラスチック製であるため、どうしても静電気が発生する。帯電防止剤を混入して軽減することが行われているが、完全ではない。この静電気が発生すると、空気中の浮遊ゴミを吸着することになる。このため、その吸着したゴミをクリーンルーム内に持ち込むことになる。
【先行技術文献】
【特許文献】
【０００７】
【特許文献１】特開２０１０−１２０７１７号公報
【発明の概要】
【発明が解決しようとする課題】
【０００８】
そこで、静電気ほとんどなく、紙粉が防止できる段ボール箱を提供する。
【課題を解決するための手段】
【０００９】
以上のような状況に鑑み、本発明者は鋭意研究の結果本発明段ボール箱を完成したものであり、その特徴とするところは、表面がパーチメント紙である点にある。
【００１０】
ここでいう段ボールは、一般でいうものであり、その段数や厚み、ライナーの数などは限定しない。勿論、材質としては、紙であり、他の材質の特殊なものは含まれない。
【００１１】
パーチメント紙とは、一般にいう硫酸紙であり、パルプから抄造した原紙を硫酸（グリセリンを含む場合もある）に通して表面の繊維を変性した紙である。耐水性、耐油性に優れている。
【００１２】
表面がパーチメント紙とは、段ボールの表面（ライナー部分）がパーチメント紙であるということである。
また、ライナー部分ではなく裁断面（打ち抜いた面）は、パーチメント紙でも、プラスチックフィルムやプラスチックテープでカバーしてもよい。プラスチックで裁断面をカバーする場合には、そのカバーテープの幅は、３ｃｍ以下にすることが望ましい。裁断面カバーにプラスチックテープを用いる場合には、ライナーの一部もそれにカバーされることは当然である。
勿論、裁断面もパーチメント紙でカバーしてもよい。
【００１３】
この表面をパーチメント紙にする方法は、段ボール製造時にコルゲートマシンに供給するライナー紙をパーチメント紙にしても、パーチメント紙をラミネートした紙をライナーとして用いてもよい。
【発明の効果】
【００１４】
本発明には次のような効果がある。
（１）  段ボールであり紙製であるため、静電気がなく、ゴミやほこりを吸着しない。よって、クリーンルームにゴミやほこりを持ち込まない。
（２）  全面（ほぼ全面）がパーチメント紙で覆われているため、紙製段ボール特有の紙粉がでない。
（３）  プラスチック段ボールに比べて安価である。
（４）  裁断面をプラスチックテープでカバーしたものでは端部の封止が完全であり、端面からも紙粉はでない。
【図面の簡単な説明】
【００１５】
【図１】本発明段ボール箱の１例を示す斜視図である。
【図２】従来の段ボール箱の斜視図である。
【００１６】
以下図面に示す実施例に基づいて、本発明をより詳細に説明する。
【実施例１】
【００１７】
図１は、本発明段ボール箱１の１例を示す斜視図である。表面２はパーチメント紙である。これは、コルゲートマシンへのライナーにパーチメント紙をラミネートした紙を用いたものである。
端面（裁断面）はすべてプラスチックテープ３でカバーされている。このプラスチックテープは、裏面に粘着剤が塗布されたもので、一般的なものである。
かばー
【符号の説明】
【００１８】
１  段ボール箱
２  表面
３  プラスチックテープ
【図１】
2016130132.tif 000003
【図２】
2016130132.tif 000004
(57)【要約】【課題】    鼠径ヘルニア用のガードルには、鼠径部全体を効果的に圧迫して、手術前には腸の漏出を抑制し、手術後は術部の安定に寄与する働きが求めらます。  この課題は、男性用、女性用共通の課題ですが、男性用には、男性器と言う鼠径部全体を圧迫し難くする条件が在ります。そのため、男性鼠径ヘルニア患者用ガードルには男性器の影響を極力小さくして、鼠径部全体を効果的に圧迫する構造と、男性器に不具合を生じない機能が求められます。【解決手段】  上記の課題を解決するため、本発明は、男性鼠径ヘルニア患者用ガードルの男性器捻出部の形状を、縦方向の切り込み２と横方向の切り込み４で構成する逆Ｔ字型の切り込みとしました。  これによって、男性鼠径ヘルニア患者用ガードルの要件である、鼠径部全体を効果的に圧迫できて、且つ、男性器に不具合を生じ難い。という効果を獲得しました。【選択図】図１
2016130381.tif 000002
【特許請求の範囲】
【請求項１】
男性用ガードルにおける男性器捻出用の、逆Ｔ字型の切り込みの形状。
【発明の詳細な説明】
【技術分野】
【０００１】  本発明は、男性鼠径ヘルニア患者用ガードルの男性器捻出部の形状に関する。
【背景技術】
【０００２】  従来の男性鼠径ヘルニア患者用のガードル、サポーターには、腰に巻き付けたベルトと股間を通過し男性器の左右を通過するベルトに保持された腹部に当てがう面板で鼠径ヘルニア部を押圧する形状のサポーター（特許文献１）や、肌側の布に男性器を露出するための逆三角形の開口部を設けたガードル（特許文献２、特許文献３）、常には男性器を内蔵し小便時には取り出せる様に、前布を交互に重ね合わせているガードル（特許文献４、特許文献５）が在る。【０００３】
【特許文献１】  登録実用新案第３１８５１２７号
【特許文献２】  特許公開２００４−３５３１４９
【特許文献３】  特許公開２０１１−１６７１
【特許文献４】  登録実用新案第３０５３３９５号
【特許文献５】  特許公開平９−１１１５０２
【発明の開示】
【発明が解決しようとする課題】
【０００４】  一般に鼠径ヘルニア用ガードルには、鼠径部全体を効果的に圧迫して、手術前には患部からの腸、他の漏出を抑制し、手術後は術部の安定に寄与する働きが求められる。【０００５】  この課題は、男性用、女性用共通の課題であるが、男性用には、男性器の存在と言う鼠径部全体の圧迫を困難にする条件が在る。【０００６】  それ故、男性鼠径ヘルニア患者用のガードルには、男性器の影響を極力小さくして鼠径部全体を効果的に圧迫でき、且つ、男性器に不具合が生じない構造が求められる。【０００６】  しかしながら、従来のサポーターやガードルは、その様な構造では無かった。【０００７】  本発明は、男性鼠径ヘルニア患者のために、従来のガードル、サポーターの不具合を解消して、鼠径部全体を効果的に圧迫でき、且つ、男性器に不具合を生じない構造の男性鼠径ヘルニア患者用ガードルを提供する事を目的とする。
【課題を解決するための手段】
【０００８】  本発明は、上記の課題を解決するため男性器の形状を研究した。その結果、男性器の陰嚢は、下腹部との接合部が締まったΩ状で在る事に気づいたので、男性鼠径ヘルニア患者用ガードルの男性器捻出部の形状を、押し広げられて接合部に添う縦方向の切り込みと、重さを受け止める横方向の切り込みで構成する、逆Ｔ字型の切り込みした。
【発明の効果】
【０００９】  男性器捻出部の形状を逆Ｔ字型の切り込みとする事によって男性器は、狭い開口部からΩ状に捻出される。【００１０】  男性器を狭い逆Ｔ字型の開口部からΩ状に捻出する事によって、ガードルが男性器の下腹部側にピッタリ添う形となり、男性器の下腹部側周辺への圧迫が可能となった。
その結果、男性器による鼠径部への圧迫面積の減少を最小限とする事が出来た。【００１１】  又、男性器の捻出時に、逆Ｔ字型の切り込みの縦方向部分が外側にめくれて釣鐘状となり、逆Ｔ字型の切り込みの横方向部分が、陰嚢の重さでハンモック状となる事で、男性器をむやみに締め付けない効果も得る事が出来た。
【発明を実施するための最良の形態】
【００１２】  以下、本発明の実施の形態を図１〜図２において説明する。
【図面の簡単な説明】
【００１３】
【図１】  本発明の、逆Ｔ字型の切り込みの形状を示す正面図。
【図２】  同逆Ｔ字型の切り込みの、男性器捻出による形状の変化示す正面図。
【符号の説明】
【００１４】    １Ａ  ガードル本体、下腹部側。
１Ｂ  ガードル本体、臀部側。
２    逆Ｔ字型切り込みの縦方向部分。
３    着用によって釣鐘状と成った、逆Ｔ字型切り込みの縦方向部分。
４    逆Ｔ字型切り込みの横方向部分。
５    着用によってハンモック状となった、逆Ｔ字型切り込みの横方向部分。
６    男性器の位置、大きさ、等の個人差に対応するための切り込みマーク。
【実施例】
【００１５】  ガードル着用後、男性器で逆Ｔ字型切り込みの縦方向部分２と横方向部分４を押し開けて、男性器を男根、睾丸、睾丸の順に捻出する。捻出によって男性器は、下腹部側の締まったΩ状となる。【００１６】  この時、逆Ｔ字型切り込みの縦方向部分２は、外側にめくれて釣鐘状３となり、逆Ｔ字型切り込みの横方向部分４は、陰嚢の重さでたわんでハンモック状５となる。【００１７】  その結果、逆Ｔ字型切り込みの縦方向部分２が、Ω状に捻出された男性器の下腹部側に釣鐘状に添う形３となって、鼠径部全体を効果的に圧迫できる条件を形成し、且つ、男性器に不具合を生じ難い、男性鼠径ヘルニア患者用ガードルが実現します。【００１８】  符号６は、男性器の位置や大きさの個人差に着用者自身で対応するために記入した、個人差対応用の切り込みマークです。
【図１】
2016130381.tif 000003
【図２】
2016130381.tif 000004
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
男性器捻出部の形状を逆Ｔ字型の切り込みとした男性用ガードル。
(57)【要約】【課題】不老不死製法のバージョン3を作りデ・グレイの不老不死仮説を現実とする。【解決手段】細胞分裂により脳の構成細胞を生み出す脳の神経前駆細胞を標的としそこにクリスパーキャス9プラスミドベクター、ガイドＲＮＡ、テンプレート、鋳型ＤＮＡを子宮内電気穿孔法を用いて導入し、eｌｔ-5、eｌｔ-6等の老化遺伝子や精神病やがん等の病気遺伝子を見つけ切り取るクリスパーキャス9ガイドRNAで若返り遺伝子のサーチュイン遺伝子等をゲノム編集で組み換え老化細胞除去で脳のゲノム編集は切り取ることしか出来なかったがＳＬＥNＤＲ法で組み換え可能になり体と同時に不老不死化を実現する。【選択図】なし【特許請求の範囲】
【請求項１】
（a）  細胞分裂により脳の構成細胞を生み出す脳の神経前駆細胞を標的とする。
（ｂ）そこにクリスパーキャス9プラスミドベクター、ガイドＲＮＡ、テンプレート、鋳型ＤＮＡを子宮内電気穿孔法を用いて導入し、
（ｃ）eｌｔ-5、eｌｔ-6等の老化遺伝子や精神病やがんや難病等の病気遺伝子を見つけ切り取るクリスパーキャス9ガイドRNAで若返り遺伝子のサーチュイン遺伝子等をゲノム編集で組み換える。
（ｄ）従来、脳のゲノム編集は切り取ることしか出来なかったが、ＳＬＥNＤＲ法で組み換え可能になり、脳以外の体はテロメラーゼで体細胞の不老不死化を実現する。  
（e）このようにして高齢老人でも全細胞でテロメアも若返ったように元の長さに戻り、不老不死となるが脳細胞もＳＬＥNＤＲ法で老人脳も若くなるし、老化遺伝子すべてが切り取られ望むならば若さを保つ遺伝子導入で若返りも可能なゲノム編集を施した、遺伝子操作し細胞が老化した時だけ毒素を取り込み老化細胞除去でデ・グレイの不老不死仮説を実現できる、                                                                                                                                                              
以上のような特徴を持つ脳ＳＬＥNＤＲ法・体テロメラーゼクリスパーキャス9老化細胞除去ゲノム編集無病不老不死製法3。
【発明の詳細な説明】
【技術分野】
【０００１】
本発明は、不老不死製法の改良で主として中高年高齢老人のケースに関する。
【背景技術】
【０００２】
従来、ヒトｉＰＳ細胞初期化6因子利用経口不老不死薬に関する高齢老人向けの技術はあったがゲノム編集のできる脳の不死技術はなかったし老化細胞も除去できていなかった。
【０００３】
【非特許文献１】「生きている個体の脳で正確なゲノム編集を行う新技術ＳＬＥＮＤＲ」2016年5月12日
【非特許文献２】「日本経済新聞」2016年8月8日14頁
【非特許文献３】「Ｃeｌｌオンライン版」2016年5月12日
【特許文献１】特開2016-011317
【発明の開示】
【発明が解決しようとする課題】
【０００４】
従来、不老不死製法に関する中高年高齢老人向けの技術はすくなかったので最新技術よって改良実現させデ・グレイの老化細胞除去の不老不死を実現させる。        
【課題を解決するための手段】
【０００５】
脳はＳＬＥＮＤＲ法で体はテロメラーゼとクリスパーキャス9ゲノム編集で遺伝子操作し細胞が老化した時だけ毒素を取り込み老化細胞除去で無病不老不死製法3を行う。
【発明の効果】
【０００６】
不老不死の肉体と脳を保て老化細胞除去でデ・グレイの不老不死仮説を実現できる。
【発明を実施するための最良の形態】
【０００７】
以下、本発明の実施例について時系列的に文章で説明する。細胞分裂により脳の構成細胞を生み出す脳の神経前駆細胞を標的とする。そこにクリスパーキャス9プラスミドベクター、ガイドＲＮＡ、テンプレート、鋳型ＤＮＡを子宮内電気穿孔法を用いて導入し、eｌｔ-5、eｌｔ-6等の老化遺伝子や精神病やがん等の病気遺伝子を見つけ切り取るクリスパーキャス9ガイドRNAで若返り遺伝子のサーチュイン遺伝子等をゲノム編集で組み換える。従来、脳のゲノム編集は切り取ることしか出来なかったが、ＳＬＥNＤＲ法で組み換え可能になり、脳以外の体はテロメラーゼで体細胞の不老不死化を実現する。このようにして高齢老人でも全細胞でテロメアも若返ったように元の長さに戻り、不老不死となるが脳細胞もＳＬＥNＤＲ法で老人脳も若くなるし、老化遺伝子すべてが切り取られ望むならば若さを保つ遺伝子導入で若返りも可能なゲノム編集を施した遺伝子操作し細胞が老化した時だけ毒素を取り込み老化細胞除去でデ・グレイの不老不死仮説を実現できる、                                                      
以上のような特徴を持つ脳ＳＬＥNＤＲ法・体テロメラーゼクリスパーキャス9老化細胞除去ゲノム編集無病不老不死製法3。
【実施例】
【０００８】
上記の形態や非特許文献の如く実施される。
【産業上の利用可能性】
【０００９】
高齢老人ヒトｉＰＳ6因子コーティング初期化テロメア若返り利用老人脳光電極刺激全記憶甦り経口不老不死薬6やヒトｉＰＳ細胞初期化３遺伝子利用経口不老不死薬の改良技術でゲノム編集クリスパーキャス9とＳＬＥNＤＲ法で脳も全身の各細胞レベルの各老化遺伝子の切り取りとサーチュイン遺伝子組み換えで大きく進歩を遂げ高齢化が進む中この製法の需要の産業上の利用可能性は高いと解されデ・グレイの不老不死仮説の実現。
(57)【要約】【課題】開きドアが強い風などで勢いよく閉まるときにドアの手先部とドア枠との間に指などを挟んでしまい大怪我をするような事故を安価な方法で防ぐ事を目的とする。【解決手段】開きドアの手先側に取り付け板をビスなどで取り付け、その取り付け板にドアが閉まる時の遠心力によりドアの外側に傾くストッパーを設け、ドアが勢いよく閉まるときにその遠心力によりストッパーが外側へ傾きドアとドア枠の間にストッパーが挟まることにより５センチメートル前後の隙間をあけてドアを止める。ドアが閉まる時の遠心力の強さによりストッパーの作動を制御することが出来るため、構造を簡略化でき、価格も安く製作できる。【選択図】図５
2016188563.tif 000002
【特許請求の範囲】
【請求項１】
取り付け板の上下に軸受け部を設け、その軸受けの間に遠心力によりドアの外側に傾くストッパーを設け、ストッパーの先端部に遠心力を大きくするための重りを埋め込み、取り付け板とストッパーの間に遠心力が弱いときに、通常の位置に戻るための装置（ばね）を設け、開きドアの先端部にビスなどで取り付けて使用する開きドア用安全具。
【発明の詳細な説明】
【技術分野】
【０００１】    この発明は、開きドアが台風などの強風で勢いよく閉まった時にドアの手先側で指を挟んで怪我をしてしまう事を防ぐ為の安全具に関するものである。
【背景技術】
【０００２】  従来、開きドア用安全具として、特開平１１−１２５０５９号公報に示されるものが知られている。この従来例はドアの吊り元側上部に複雑な構造の装置を取り付けてドアの開閉スピードを調節することにより強風などで勢いよく閉まるのを防ぐことが出来る。
【先行技術文献】
【特許文献】
【０００３】
【特許文献１】特開平１１−１２５０５９号公報
【発明の概要】
【発明が解決しようとする課題】
【０００４】  しかしながら、上記従来例によれば、構造が複雑で価格も高価な上、取り付けも難易でした。
本発明は、以上の問題点を解決するためになされたものである。
【課題を解決するための手段】
【０００５】  本発明は取り付け板にドアが勢いよく閉まる時の遠心力によりドアの外側に傾くストッパーを設け、平常時の遠心力が弱いときに、通常の位置に戻るための装置（ばね）を取り付け板とストッパーの間に設け、その取り付け板をドアの手先側にビスなどで取り付けて使用する開きドア用安全具である。
ドアが閉まる時の遠心力の強さによりストッパーの作動を制御することが出来るため、構造を簡略化できる。
【発明の効果】
【０００６】  本発明によればドアが強風などにより勢いよく閉まるときの遠心力を利用する為、構造が簡単で、価格も安く製作できる。
通常はゆっくりとドアを閉めることにより本安全具は作動せず、非常時にのみ作動する効果がある。
【図面の簡単な説明】
【０００７】
【図１】本発明の斜視図である。
【図２】本発明の通常時使用状態を示す側面図である。
【図３】本発明の通常時使用状態を示す平面図である。
【図４】本発明の非常時使用状態を示す平面図である。
【図５】本発明の使用状態を示す斜視図である。
【発明を実施するための形態】
【０００８】  以下、本発明の実施の形態を説明する。
（イ）ドア（８）の手先側上部に、取り付け板（１）をビスなどで取り付ける。
（ロ）取り付け板（１）の上部と下部に軸受け（２）を設ける。
（ハ）ストッパー（４）の一端部に穴を開け軸受け（２）の間に挟み、支え軸（３）をと      おす。
（ニ）ストッパー（４）の先端に遠心力を増す為の重り（６）を設ける。
（ホ）ストッパー（４）と取り付け板（１）の間に通常の位置に戻る為の復旧用のばね（      ７）を設ける。
本発明は以上のような構造である。
【０００９】本発明を使用するときは図５に示すように取り付け板（１）を開きドア（８）の手先側上部に、ドア枠（９）とのぎりぎりの位置にビス（５）などで取り付ける。ドア（８）が勢いよく閉まるときにその遠心力によりストッパー（４）が外側へ傾き図４のようにドア（８）とドア枠（９）の間にストッパー（４）が挟まることにより５センチメートル前後の隙間をあけてドア（８）を止める。
平常時、遠心力が弱くなると復旧用のばね（７）によりストッパー（４）が通常の位置に戻ることで普通にドア（８）を開閉することが出来る。
【符号の説明】
【００１０】１取り付け板    ２軸受け    ３支え軸    ４ストッパー    ５ビス
６重り    ７復旧用のばね    ８ドア    ９ドア枠
【図１】
2016188563.tif 000003
【図２】
2016188563.tif 000004
【図３】
2016188563.tif 000005
【図４】
2016188563.tif 000006
【図５】
2016188563.tif 000007
(57)【要約】【課題】  抗生物質の効かない、治療法・治療薬の無い、例えば、Ｂ型肝炎、Ｃ型肝炎、ＡＩＤＳ（ＨＩＶ感染症）等の難治性ウイルス感染症の治療薬を副作用０で、１００％近く治癒させる治療薬の、全く新しい創り方である。【解決手段】  この為、この発明においては、治療薬に血液中にある物質：ヘルパ−Ｔ細胞、Ｂ細胞が産生する物質、つまり、サイトカインと免疫グロブリンを使う方法である。ただ、それはまだ未発見の未知のサイトカインと免疫グロブリンを使う方法である。  細胞のＤＮＡには、遺伝子として発現する部位、エキソンと発現しない部位、イントロンが在り、ＤＮＡの９８％以上は発現しない部位、イントロンである。このイントロンには未知の物質の遺伝情報が書かれていて、ここには、未知のサイトカイン、免疫グロブリン等の遺伝情報が書かれているはずである。この、未知のサイトカイン、免疫グロブリン等を直接投与すれば、ウイルスを駆除して、Ｂ型肝炎、Ｃ型肝炎、ＡＩＤＳ（ＨＩＶ感染症）等の難治性ウイルス感染症を副作用０で、治癒率１００％近く治癒させるはずである。【特許請求の範囲】
【請求項１】
難治性のウイルス系感染症の治療薬の新しい創り方
【発明の詳細な説明】
【技術分野】
【０００１】  この発明は、医学分野の難治性ウイルス系感染症の治療薬の創り方に関する。
【発明の概要】
【０００２】  この発明は、ウイルス系感染症の治療薬、例えば、Ｂ型肝炎、Ｃ型肝炎、ＡＩＤＳ（ＨＩＶ感染症）等の難治性ウイルス系感染症の治療薬に関する物である。
【背景技術】
【０００３】  今までの感染症の治療薬、特にウイルス系の感染症の治療薬は無機物質、有機物質等の化学物質を使った物、さらに、有機物質の一つである抗生物質等がある。しかし、Ｂ型肝炎、Ｃ型肝炎、ＡＩＤＳ（ＨＩＶ感染症）等の難治性ウイルス感染症の治療薬は、ウイルスの遺伝子タイプの変化が速く、薬の効かない耐性菌が発生しやすく、病気が発症しない様に押さえ込むのがやっとであり、治癒には至っていない。
【発明の開示】
【発明が解決しようとする課題】
【０００４】  抗生物質の効かない、治療法・治療薬の無い、例えば、Ｂ型肝炎、Ｃ型肝炎、ＡＩＤＳ（ＨＩＶ感染症）等の難治性ウイルス感染症の治療薬を副作用０で、１００％近く治癒させる治療薬の、全く新しい創り方である。
【課題を解決するための手段】
【０００５】  この為、この発明においては、治療薬に血液中にある物質：ヘルパ−Ｔ細胞、Ｂ細胞が産生する物質、つまり、サイトカインと免疫グロブリンを使う方法である。ただ、それはまだ未発見の未知のサイトカインと免疫グロブリンを使う方法である。
細胞のＤＮＡには、遺伝子として発現する部位、エキソンと発現しない部位、イントロンが在り、ＤＮＡの９８％以上は発現しない部位、イントロンである。このイントロンには未知の物質の遺伝情報が書かれていて、ここには、未知のサイトカイン、免疫グロブリン等の遺伝情報が書かれているはずである。この、未知のサイトカイン、免疫グロブリン等を直接投与すれば、ウイルスを駆除して、Ｂ型肝炎、Ｃ型肝炎、ＡＩＤＳ（ＨＩＶ感染症）等の難治性ウイルス感染症を副作用０で、治癒率１００％近く治癒させるはずである。
【発明の効果】
【０００６】  この発明は、Ｂ型肝炎、Ｃ型肝炎、ＡＩＤＳ（ＨＩＶ感染症）等の難治性ウイルス感染症を副作用０で、治癒率１００％近く治癒させるのみならず、化学物質、抗生物質の次の全く新しい、副作用０で効き目を示す、新しい薬の創り方を示す物である。
(57)【要約】【課題】  並べて配置される複数の押出形材の間に微妙な色の違いがあっても、色の違いを目立たなくすることのできるパネル体の提供。【解決手段】  複数の押出形材１，１，…を押出方向と直交する方向に並べて配置してあり、押出形材１，１，…は表面に山３と谷４が連なった凹凸模様２が形成してあり、凹凸模様２は深さｄが均一でピッチＰ及び斜面の角度θがランダムに形成してある。【選択図】      図１
2016102364.tif 000002
【特許請求の範囲】
【請求項１】
複数の押出形材を押出方向と直交する方向に並べて配置してあり、押出形材は表面に山と谷が連なった凹凸模様が形成してあり、凹凸模様は深さが均一でピッチ及び斜面の角度がランダムに形成してあることを特徴とするパネル体。
【発明の詳細な説明】
【技術分野】
【０００１】
本発明は、押出形材で構成されるパネル体に関する。
【背景技術】
【０００２】
建物の屋根や天井、壁等に、アルミニウム合金の押出形材が使用されることがある。アルミニウム合金の押出形材は、陽極酸化処理、電解着色、電着塗装といった表面処理を行い、表面を様々な色に着色している。同じ条件で表面処理を行っても、ロットが異なると若干の色違いが生ずることがあり、そのような押出形材を並べて配置すると、色違いが目立っていた。
【発明の概要】
【発明が解決しようとする課題】
【０００３】
本発明は以上に述べた実情に鑑み、並べて配置される複数の押出形材の間に微妙な色の違いがあっても、色の違いを目立たなくすることのできるパネル体の提供を目的とする。
【課題を解決するための手段】
【０００４】
上記の課題を達成するために請求項１記載の発明によるパネル体は、複数の押出形材を押出方向と直交する方向に並べて配置してあり、押出形材は表面に山と谷が連なった凹凸模様が形成してあり、凹凸模様は深さが均一でピッチ及び斜面の角度がランダムに形成してあることを特徴とする。
【発明の効果】
【０００５】
請求項１記載の発明によるパネル体は、形材の表面に山と谷が連なった凹凸模様が形成してあり、凹凸模様は深さが均一でピッチ及び斜面の角度がランダムに形成してあることで、並べて配置される複数の押出形材の間に微妙な色の違いがあっても、色の違いを目立たなくすることができる。また、このような凹凸模様が形成されていることで、ダイスマークが目立たなくなる。
【図面の簡単な説明】
【０００６】
【図１】本発明のパネル体の一実施形態を示す縦断面図と、その下面部を拡大した拡大図である。
【発明を実施するための形態】
【０００７】
以下、本発明の実施の形態を図面に基づいて説明する。図１は、本発明のパネル体の一実施形態であって、通路用のシェルターの屋根に適用した例を示している。このパネル体５は、中空部６を有する帯板状のアルミニウム合金製の押出形材１，１，…を、押出方向と直交する方向に多数並べて配置して構成してある。
【０００８】
シェルターの屋根の場合、歩行者からはパネル体５の下面が見えるが、本パネル体５の各押出形材１，１，…の下面には、図中の拡大図に示すように、山３と谷４が連なった細かい凹凸模様２が形成してある。凹凸模様２は、深さｄが均一で、ピッチ（山と山の間の距離）Ｐ及び斜面の角度θがランダムに形成してある。
このような凹凸模様２は、押出形材１を押し出すダイスに凹凸模様２を予め形成しておき、押し出すと同時にダイスに形成した凹凸模様２を押出形材１に転写することで形成できる。
【０００９】
押出形材１は、押し出し後に陽極酸化処理、電解着色、電着塗装といった表面処理を行い、シルバー、ブロンズ、ブラックといった任意の色に着色される。押出形材１は、表面処理を行った後、用途に応じて所定の長さに切断される。
【００１０】
押出形材１は、同一の条件で表面処理を行っても、ロットが異なると若干の色違いが生ずることがあるが、本パネル体５は各押出形材１，１，…の表面に上述のランダムな細かい凹凸模様２が形成されていることで、並べて配置される複数の押出形材１，１，…の間に微妙な色の違いがあっても、色の違いを目立たなくすることができる。また、このような凹凸模様２が形成されていることで、ダイスマークが目立たなくなる。さらに、ランダムな細かい凹凸模様２は、見る人に木目等の自然素材のような柔らかな印象をもたらす。
【００１１】
本発明は以上に述べた実施形態に限定されない。押出形材の材質、断面形状、表面処理の状態は任意であり、例えば中空部を有しないものであってもよい。凹凸模様の深さ、ピッチ、斜面の角度は、適宜変更することができる。本発明のパネル体は、シェルターの屋根に限らず、天井、壁、戸など、あらゆる用途に用いることができる。
【符号の説明】
【００１２】
１  押出形材
２  凹凸模様
３  山
４  谷
５  パネル体
ｄ  凹凸模様の深さ
Ｐ  凹凸模様のピッチ
θ  凹凸模様の斜面の角度
【図１】
2016102364.tif 000003
(57)【要約】      （修正有）【課題】日除けの機能を高め、入射熱を遮断、緩和し放熱する働きを持たせた簾を提供する。【解決手段】簾の桟１に給放水管の機能をもたせ、水を穴２より滴下させる。親水性を高めるため溝を設ける等で表面を荒らしたヒゴ６としたり、水の保持量を上げるため、数本束ねたヒゴ６を１軸に組んで簾に編み上げる。【選択図】図１
2016102386.tif 000002
【特許請求の範囲】
【請求項１】
桟が給放水管の機能を持つ簾。
【請求項２】
親水性を高める目的で、溝を設ける等で表面を荒したヒゴを用いる簾。
【請求項３】
水の保持量を上げるために、ヒゴを複数本組み、束にして編む簾。
【発明の詳細な説明】
【技術分野】
【０００１】地球温暖化対策に熱射光を遮断する方法がある。これによって節電を実現し、化石燃料の消費を減らして、ＣＯ２を削減しようとするものである。具体例を挙げれば、窓の外側に吊り下げる軒吊り簾、屋上や壁面の緑化、水煙の放散、ゴーヤ等の植物栽培による日除け等がある。
【背景技術】
【０００２】屋内の冷却は、空調機械が普及している。この場合、近時、空調室外機に向けて散水（水かけ）すれば、電力消費が７％以上も削減できることが確認されている（ダイセン・メンブレン・システム株式会社）。この外、水を用いる冷却効果としては、路面への打ち水である。水による冷却は直截的で効果が大きい。
【発明の概要】
【発明が解決しようとする課題】
【０００３】これまで広く用いられてきた軒吊りの簾による日除けや遮熱の機能を、さらに向上させたい。
【課題を解決するための手段】
【０００４】本発明は、窓の外側に吊るした、即ち軒吊りの簾に水をたらし、簾の全面を濡らして、入射熱を遮断し、放熱せんとするものである。【０００５】即ち、簾に滴下した水は、簾のヒゴを濡らしながら落下していくが、その間に暑熱で水は気化し、周囲の熱を奪う。いわば簾の上で打ち水効果を得ようとするものである。【０００６】課題に対する請求項１の発明は、簾を支持して吊り下げる図１−１の桟（さん）を、水を通し、その水を滴下することが可能な構造、つまり水の滴下口（図１−２）を持つ管（パイプ）にする。パイプの材質は、プラスチック（塩化ビニールなど）や金属（アルミ）を用いる。【０００７】パイプには、数個の小さな穴を穿ち（図１−２）、水を通すと、簾に水滴が落下し、簾の全面を濡らす。水は簾を伝って落下するが、一部は蒸発・気化し、このとき周囲の熱を奪う。供給する水量は、バルブ（図１−３）で加減する。【０００８】水の供給源は、水道による（図１−４）。桟の一方は、図１−５の閉止栓（キャップ）で塞ぐ。この閉止栓は着脱可能とする。簾を複数連（本）並べて用いるときは、閉止栓を外し、桟同士をホースで連結すれば、簾の２連目、３連目へと流れる。【０００９】水は、必ずしも水道水に限らない。ふろの残り湯や雨水を、バケツやポリ缶に貯めて、ポンプで供給することも可能である。【００１０】課題に対する請求項２の発明は、簾のヒゴ（図１−６）に親水性を上げるため、ヒゴの表面を荒らすことである。親水性の向上は、ヒゴの濡れを長もちさせ、これにより少量の水でその気化する時間を延ばすことができる。【００１１】これまで、簾のヒゴの素材の多くは竹と葦（よし）である。木は僅かにインテリアに使われるのみである。本発明では、親水性に優れ、吸水性も高い木材の利用を重視している。さらに本発明は、ヒゴに浅い溝を掘る等で（図２−７）、表面を荒し親水性を高める。【００１２】課題に対する請求項３の発明は、簾のヒゴ（６）の数本を図３のように束ねて、１軸に組んで、簾に編み上げることである。この方法によれば、水の表面張力が働いて、より多くの水を保持できるようになり（図４−８）、気化量が増え、冷却効果が高まる。
【発明の効果】
【００１３】本発明になる簾によれば、簾の全面が水で濡れ、水は徐々に気化して暑熱を奪い、入射熱を遮断して、気温を下げるように働く。簾は遮熱を必要としない場合は、水の供給を止めればよく、通常の日除けや目隠し、虫除け等の、簾本来の用途に戻すことができる。
【図面の簡単な説明】
【００１４】
【図１】図１は、本発明になる簾の斜視図。
【図２】図２は、溝状の傷を設けたヒゴの切り口の拡大図。
【図３】図３は、ヒゴを組にして編む例を示す。
【図４】図４は、３本のヒゴを束ねた簾の軸の切り口で、水が保持される状態を示す。
【発明を実施するための形態】
【００１５】本発明になる簾のヒゴの素材は、親水性が高い木材を用いることが望ましい。さらにヒゴを複数本組み、束ねて編む（図３）と、水の保持量が増え、気化する時間も延びる。また、同じヒゴでも、円柱形より角形の方が、水の保持性が高まることを確認している。
【００１６】親水性が高いヒゴを用いると、カビが発生し易い。このため、防カビ処理を施すことが望ましい。
【符号の説明】
【００１７】１……１は簾の桟。
２……２は水を滴下させる穴。
３……３は水道のバルブ。
４……４は水道の蛇口。
５……５は桟〈パイプ〉の閉止栓（キャップ）。
６……６は簾のヒゴ。
７……７はヒゴの表面に施した溝（傷）。
８……８はヒゴに保持された水。
【図１】
2016102386.tif 000003
【図２】
2016102386.tif 000004
【図３】
2016102386.tif 000005
【図４】
2016102386.tif 000006
(57)【要約】【課題】強度及び延性に優れたダイカスト鋳造用のアルミニウム合金及びそれを用いた鋳造製品の提供を目的とする。【解決手段】以下質量％にて、Ｓｉ：６〜９％，Ｍｇ：０．３〜０．５％，Ｆｅ：０．２％以下，Ｍｎ：０．５％以下，Ｃｕ：０．９％以下，Ｔｉ：０．２％以下であり、Ｐ：１０ｐｐｍ以下，Ｓｒ：１００ｐｐｍ以下，Ｎａ：１００ｐｐｍ以下であり、残部がＡｌと不可避的不純物からなることを特徴とする。【選択図】  図１
2016102246.tif 000002
【特許請求の範囲】
【請求項１】
以下質量％にて、Ｓｉ：６〜９％，Ｍｇ：０．３〜０．５％，Ｆｅ：０．２％以下，Ｍｎ：０．５％以下，Ｃｕ：０．９％以下，Ｔｉ：０．２％以下であり、
Ｐ：１０ｐｐｍ以下，Ｓｒ：１００ｐｐｍ以下，Ｎａ：１００ｐｐｍ以下であり、
残部がＡｌと不可避的不純物からなることを特徴とする延性に優れたダイカスト鋳造用アルミニウム合金。
【請求項２】
Ｆｅ：０．０５〜０．２％，Ｐ：５〜１０ｐｐｍであることを特徴とする請求項１記載の延性に優れたダイカスト鋳造用アルミニウム合金。
【請求項３】
Ｓｒ又は／及びＮａが３０〜２００ｐｐｍ含有することを特徴とする請求項１又は２記載の延性に優れたダイカスト鋳造用アルミニウム合金。
【請求項４】
Ｍｎ：０．０１〜０．５％含有することを特徴とする請求項１〜３のいずれかに記載の延性に優れたダイカスト鋳造用アルミニウム合金。
【請求項５】
請求項１〜４のいずれかに記載のアルミニウム合金を用いてダイカスト鋳造された製品であって、当該製品中のガス含有量が０．２ｃｃ／１００ｇＡｌ以下であることを特徴とする延性に優れた鋳造製品。
【発明の詳細な説明】
【技術分野】
【０００１】
本発明は、ダイカスト鋳造に適したアルミニウム合金及びそれを用いた鋳造製品に関する。
【背景技術】
【０００２】
ダイカスト鋳造は、例えばアルミニウム合金の溶湯を金型内に高速，高圧にて射出する鋳造方法であり、生産性が高い特徴を有し、自動車部品や機械部品等に広く採用されている。
これまで一般的に使用されているアルミニウム合金は、ＪＩＳ  ＡＤＣ１２アルミニウム合金があるが、材料としての伸び（延性）特性が不充分であり、機能性が要求される部品では適用が難しい場合もあった。
特に強度向上を目的にＴ５熱処理をする場合に、組織中に鉄系の粗大な針状組織や粗大な板状共晶Ｓｉが晶出するために、それらが基点として破壊する恐れがあった。
【０００３】
特許文献１には、延性を改善する目的で０．０８〜０．２５重量％のモリブデンを含有させたダイカスト用のアルミニウム合金を開示する。
しかし、強度が不充分で高強度が要求される機能部品には、適用できないものである。
【先行技術文献】
【特許文献】
【０００４】
【特許文献１】特許第４９７０７０９号公報
【発明の概要】
【発明が解決しようとする課題】
【０００５】
本発明は、強度及び延性に優れたダイカスト鋳造用のアルミニウム合金及びそれを用いた鋳造製品の提供を目的とする。
【課題を解決するための手段】
【０００６】
本発明に係る延性に優れたダイカスト鋳造用アルミニウム合金は、以下質量％にて、Ｓｉ：６〜９％，Ｍｇ：０．３〜０．５％，Ｆｅ：０．２％以下，Ｍｎ：０．５％以下，Ｃｕ：０．９％以下，Ｔｉ：０．２％以下であり、Ｐ：１０ｐｐｍ以下，Ｓｒ：１００ｐｐｍ以下，Ｎａ：１００ｐｐｍ以下であり、残部がＡｌと不可避的不純物からなることを特徴とする。
【０００７】
ここで、成分範囲を選定した理由を以下説明する。
Ｓｉ：６〜９％の範囲としたのは、ダイカスト鋳造において湯流れ性（鋳造性）を確保するにはＳｉが６％以上必要であり、９％を超えると延性（伸び）が低下するからである。
本発明においては、機能部品に適用することを考慮し、延性が優れるとは伸び特性として７％以上を目標とした。
Ｍｇ：０．３〜０．５％の範囲としたのは、強度を確保するためであり、Ｔ５処理後の引張強さで少なくとも２００ＭＰａ以上必要である。
Ｍｇが０．５％を超えると、伸びが低下する。
Ｆｅ：０．２％以下としたのは、Ｆｅが０．２％を超えると伸びが急激に低下するからである。
Ｆｅ成分は、針状晶出物が発生する原因であり、含有量が少ない方が好ましいが、鋳造行程において不純物として混入する恐れが高く、０．０５％未満にするとコストアップの要因になるため、好ましくはＦｅ：０．０５〜０．２％の範囲である。
Ｍｎ：０．５％以下としたのは、この範囲であれば延性に及ぼす影響が小さく、Ｍｎを少量添加することで鋳造時の金型への焼き付き防止効果があるからである。
好ましくは、Ｍｎ：０．０１〜０．５％の範囲である。
Ｐ：１０ｐｐｍ以下としたのは、この範囲であればＴ５熱処理をする場合に組織の微細化効果が認められる。
この場合に好ましくは、Ｐ：５〜１０ｐｐｍの範囲である。
なお、Ｔ６熱処理をする場合には、Ｐは不要である。
Ｓｒ及びＮａも結晶組織の微細化による改良効果があり、２００ｐｐｍの範囲であれば、添加する方が好ましい。
好ましくは、４０〜１００ｐｐｍの範囲である。
Ｔｉは鋳造時の結晶微細化効果があり、０．２％以下の範囲で添加をしてもよい。
Ｔｉを添加する場合には、母合金に含まれるＢも僅かに含まれることになる。
その他の成分としては、Ｃｕは０．９％以下の範囲で含有が許容され、他の成分は不純物として取り扱われる。
【０００８】
本発明に係るアルミニウム合金は、ダイカスト鋳造において鋳造性に優れるとともに、延性，強度に優れる。
このようなアルミニウム合金の特性を充分に発現されるには、鋳造時に溶湯中のガス含有量を抑えたり、酸化物等の異物の巻き込みを抑えるのが好ましい。
溶湯炉にてアルゴンガス等を充分に撹拌注入することで脱ガスを行い、フラックス処理により除さいを行うのが好ましい。
好ましくは、ダイカスト鋳造された製品中のガス含有量を０．２ｃｃ／１００ｇＡｌ以下に抑えるのが好ましい。
【発明の効果】
【０００９】
本発明に係るアルミニウム合金は、ダイカスト鋳造する際の湯流れ性に優れ、生産された製品は伸びが７％以上と高く、自動車部品や機械部品に適用すると耐久性に優れる。
【図面の簡単な説明】
【００１０】
【図１】試験評価に用いた合金例とその評価結果を示す。
【発明を実施するための形態】
【００１１】
図１の表に示すような各種成分組成のアルミニウム合金を調整し、ダイカスト鋳造を行い、製品から試験片を切り出し、機械的性質を評価した。
ダイカスト鋳造における湯温は７２０〜７５０℃とした。
Ｔ５処理条件は１８０℃×４ｈｒとし、Ｔ６処理条件は５００℃×１ｈｒで溶体化処理後に水焼入れし、１８０℃×４ｈｒの焼戻しを実施した。
試験片はＬ１８０ｍｍ×Ｗ１５ｍｍ×Ｔ５ｍｍ，標点間距離３５ｍｍ比例試験片を作成し、ＪＩＳ  Ｚ２２４１に準じて機械的性質を評価した。
【００１２】
実施例１〜４は、化学成分が本発明の範囲であり、Ｔ５処理及びＴ６処理において伸び７％以上を有する。
これに対して、Ｆｅ及びＳｉ量が多い比較例１〜３は、伸び２％と非常に悪い。
また、比較例４は、Ｆｅ，Ｓｉ量が設定の範囲内であるが、Ｍｇが０．５２％と０．５％をやや超えたので、伸びが６％にとどまった。
比較例５〜７は、Ｍｎが所定量よりも多く、伸びが低かった。
【図１】
2016102246.tif 000003